(57)【特許請求の範囲】
【請求項１】
接点を有する操作部材を摺動可能に保持すると共に、この操作部材に対応する端子板およびカム部材をスナップ式取付構造により設けた内ケースと、この内ケースを内部に装着する外ケースとを備え、上記スナップ式取付構造の支持部の略先端外側に外ケース内壁面寸法相当の突起を設け、該外面寸法と外ケース内壁面寸法をほぼ同寸法として構成したスイッチ。
【請求項２】
スナップ式取付構造の支持部の略先端外側に設けた突起上に、外ケース内壁面寸法より外径寸法が大きくなるような寸法のリブを設けた請求項１記載のスイッチ。
【発明の詳細な説明】
【０００１】
【産業上の利用分野】
本発明は主に自動車室内に装着される各種操作用のスイッチに関するものである。
【０００２】
【従来の技術】
従来のこの種のスイッチを図５〜図７により説明する。
【０００３】
同図において、２１は内ケース２２に摺動可能に保持され、復帰用バネ２３により元位置方向へ常に付勢されている摺動体であり、操作部２４を装着している。２５は内ケース２２の支持部２６にスナップフィット式取付構造により回動可能に保持され、更に巻バネ２７により内ケース内側へ付勢されているカムであり、摺動体２１に挿入されているピン２８とで、スイッチのプッシュロック機構手段を形成している。
【０００４】
２９は端子３０をインサート成形して回路を形成するとともに、内ケース２２の支持部３１に、スナップフィット式取付構造により保持されている端子板であり、摺動体２１に装着されている接触片３２とで回路の開閉を行えるよう回路接触手段を構成している。３３は自動車室内に装着されるよう係止用爪部を設けた外ケースであり、内側には、各部品を装着した内ケース２２を保持している。
【０００５】
【発明が解決しようとする課題】
しかしながら上記従来の構成のスイッチでは、内ケース２２に設けたカム２５の支持部２６や端子板２９の支持部３１は、スナップフィットが可能なように樹脂の弾性変形域を利用しているため、強度的に非常に弱く、また、図５のＣ−Ｃ断面を示した図６、同Ｄ−Ｄ断面を示した図７に示すように、外ケース３３と内ケース２２の保持部は成形時の影響による寸法ばらつきを考慮し、嵌合面積の少ないガイド部３４で保持を行い、それ以外の箇所は意図的に外ケース３３の内壁面と内ケース２２の外壁面との間にすき間を設けていた。よって悪環境の中における経時的形状変化や異常な扱いによる組付時の変形、成形条件のばらつきによる形状変化、外部衝撃による一瞬の変形などにより、支持部と支持されている部品とのかかり量がなくなり、部品が保持できなくなり脱落してしまう危険性があった。
【０００６】
本発明はこのような従来の課題を解決するものであり、各保持部品の脱落を防止することのできる優れたスイッチを提供することを目的とするものである。
【０００７】
【課題を解決するための手段】
本発明は上記課題を解決するために、内ケースに設けたスナップ式取付構造の支持部の略先端外側に突起を設け、更にこの突起部の外面寸法を、外ケースの内壁面寸法とほぼ同寸法の嵌合寸法となるように構成したものである。
【０００８】
【作用】
したがって本発明によれば、スナップ式取付構造の支持部の略先端外側に突起を設け、この突起部の外面寸法を外ケースの内壁面寸法とほぼ同寸法の嵌合寸法としているため、経時的形状変化や外部衝撃による一瞬の変形に対しては外ケース内壁面と支持部突起外面が常に当接しているために、変形に対する規制となり基位置状態を保持できる。
【０００９】
また、異常な扱いによる組付時の変形に対しても、ある程度の変形であれば、組込後に矯正され、各保持部品の脱落を防止することができる。
【００１０】
【実施例】
以下、本発明の一実施例によるスイッチを図１〜図４により説明する。
【００１１】
同図において、１は内ケース２に摺動可能に保持され、復帰用バネ３により元位置方向へ常に付勢されている摺動体であり、操作部４を装着している。５は内ケース２に設けられ、巻バネ６により内ケース内側へ付勢されているカム７をスナップフィット式取付構造により回転可能に保持している支持部であり、この支持部５の外側略先端部に突起５ａが設けられている。
【００１２】
８は摺動体１に挿入されているピンであり、巻バネ６、カム７とで当スイッチのプッシュロック機構手段を形成している。９は内ケース２に設けられ、端子１０をインサート成形し回路を形成している端子板１１をスナップフィット式取付構造により保持している支持部であり、この支持部９の外側略先端部に突起９ａが設けられている。１２は摺動体１に保持されている接触片であり、端子板１１とで回路の開閉を行えるよう回路接触手段を構成している。１３は自動車室内に装着されるよう係止用爪部を設けた外ケースであり、内側には各部品を装着した内ケース２を保持している。
【００１３】
また、上記図１のＡ−Ａ断面を示した図２のように、カム７を支持している支持部５の突起５ａの外面寸法と、外ケース１３の内壁面寸法はほぼ同寸法の嵌合寸法として組込んでおり、更に、上記図１のＢ−Ｂ断面を示した図３のように、端子板１１を支持している支持部９の突起９ａの外面寸法と外ケース１３の内壁面寸法もほぼ同様の嵌合寸法として組込んでいる。
【００１４】
図４は他の実施例を示すものであり、前述した実施例に対し、支持部９の突起９ａに更に外ケース１３の内壁面寸法よりやや大きめの寸法のつぶしリブ１４を設けたものである。この場合、外ケース１３の内壁面寸法よりつぶしリブ１４の幅寸法が大きいため、組込の際圧入状態となって組込まれることになり、常に当接されることになる。
【００１５】
なお、図４においては支持部９の突起９ａにつぶしリブ１４を設けた例を説明したが、支持部５の突起５ａに同様のつぶしリブ１４を設けることにより、更に効果が増加することは言うまでもない。
【００１６】
【発明の効果】
本発明は上記実施例により明らかなように、内ケースにスナップフィット式取付構造により保持されているカムや端子板が、各支持部の突起の外面寸法と、外ケースの内壁面寸法をほぼ同寸法の嵌合寸法で組込む構成としているため、各支持部の変形が規制され、経時的形状変化や外部衝撃による変形、異常な扱いによる組付時の変形などが防止され、装着部品が確実に保持されるという効果を有する。
【００１７】
また、各突起につぶしリブを追加しこの幅寸法を外ケースの内壁面寸法より大きくすることにより、常に支持部が内壁と当接され、更なる変形防止の効果を有することができる。
【図面の簡単な説明】
【図１】本発明の一実施例におけるスイッチの構成を示す分解斜視図
【図２】図１のＡ−Ａ断面図
【図３】図１のＢ−Ｂ断面図
【図４】（ａ）本発明の他の実施例を示す断面図
（ｂ）同要部拡大断面図
【図５】従来のスイッチの構成を示す分解斜視図
【図６】図５のＣ−Ｃ断面図
【図７】図５のＤ−Ｄ断面図
【符号の説明】
１  摺動体
２  内ケース
３  復帰用バネ
４  操作部
５  支持部
５ａ  突起
６  巻バネ
７  カム
８  ピン
９  支持部
９ａ  突起
１０  端子
１１  端子板
１２  接触片
１３  外ケース
１４  つぶしリブ
【図１】
0003738467.tif 000002
【図２】
0003738467.tif 000003
【図３】
0003738467.tif 000004
【図４】
0003738467.tif 000005
【図５】
0003738467.tif 000006
【図６】
0003738467.tif 000007
【図７】
0003738467.tif 000008